(57)【要約】【課題】各種電気機器に使用されるケーブルのかみ込み対策は、組立の作業者に頼るところが大きく、キャビネットの線かみの対応としては完全とはいえない。また、ケーブルの押し込みやかみ込みのチェックにより、組立工数が増加するという問題点を有していた。本発明は、フロントキャビネット１とリアキャビネット２との間へのケーブルのかみ込みを防止し、不良率を削減する他、組立工数削減することを目的とする。【解決手段】フロントキャビネット１とリアキャビネット２の間をケーブル６にて接続し、キャビネットを篏合時に、ケーブル６に樹脂製のバネ７を引っ掛けることにより、余分なケーブルを筐体内部に引き込むものである。これにより、キャビネット外周の篏合部分に対するケーブルをかみこむことを回避することができる。【選択図】図１
2007199228.tif 000002
【特許請求の範囲】
【請求項１】
フロントキャビネット、リアキャビネットで構成するボックス構造において
前記フロントキャビネットに装着した回路基板Ａと、
前記リアキャビネットに装着した回路基板Ｂとの間を接合するケーブルをバネにより所定の方向に付勢することを特徴とするケーブル処理構造。
【請求項２】
ボックス構造を構成するフロントキャビネットと、リアキャビネットとで構成される携帯型情報処理装置であって、
前記フロントキャビネットに装着した回路基板Ａと、前記リアキャビネットに装着した回路基板Ｂとの間を接合するケーブルと、
前記ケーブルを所定の方向に付勢するバネと、
を備えることを特徴とする携帯型情報処理装置。
【請求項３】
前記バネは樹脂材料により構成されることを特徴とする請求項２記載の携帯型情報処理装置。
【発明の詳細な説明】
【技術分野】
【０００１】
本発明は、フロントキャビネット、リアキャビネットからなるボックス構造をもつ装置の製造プロセスにおけるケーブルの処理方法に関するものである。
【背景技術】
【０００２】
近年、家電製品等では価格下落が大きく、原価を少しでも下げる努力が各社で実行されている。この目的のため、組立工数削減というのは重要事項となる。また、多大なるロスコストを発生させる品質問題も重要な課題となる。ケーブルのかみ込みなどによるショートは、製品の不具合のみならず、安全問題等に影響があるため大きな問題となっている。
【０００３】
以下に従来のケーブル処理構造について説明する。
【０００４】
図３は、携帯型情報処理装置の従来のケーブル処理組立を示した図である。
【０００５】
図３において、１はフロントキャビネット、２はリアキャビネットであり、フロントキャビネット１と勘合する。３はフロントキャビネット１に装着している液晶表示パネル、４は液晶表示パネル３に画像を表示するための画像表示回路の回路基板Ａ、５はリアキャビネット２に装着している携帯型情報処理装置本体の回路基板Ｂを示している。６は回路基板Ａと回路基板Ｂを結合するケーブルである。フロントキャビネット１とリアキャビネット２を篏合する前にケーブル６を先に接続している状態を示している。
【０００６】
図４はフロントキャビネット１とリアキャビネット２の篏合を示した図である。キャビネットの篏合時に、ケーブル５がキャビネットにかみ込まないように、図の矢印の方向に押し込まないといけなかった。
【０００７】
その他方法としては、フロントキャビネット１のみ、あるいはリアキャビネット２のみに全ての電気部品を配置してキャビネット間のケーブル無くすことである。
【特許文献１】特開２００３−３２０５０２号公報
【発明の開示】
【発明が解決しようとする課題】
【０００８】
しかしながら上記の従来の構成では、組立を行う作業者に頼るところが大きく、キャビネットの線かみの対応としては完全とはいえない。また、ケーブルの押し込みやかみ込みのチェックにより、組立工数が増加するという問題点を有していた。
【０００９】
また、フロントキャビネットやリアキャビネットの片側に全ての電気部品を装着する方法でも、かみ込み防止用の線処理テープや電気部品固定の中間シャーシ等が必要となり、部品・工数上の問題点を有していた。
【００１０】
本発明は上記従来の問題点を解決するもので、処理用のバネによりケーブルのかみ込みの防止する他、工数を削減するケーブル処理を提供することを目的とする。
【課題を解決するための手段】
【００１１】
本発明の発明は、ボックス構造を構成するフロントキャビネットとリアキャビネットと、キャビネット間を接合するケーブルとケーブルをバネにより処理するケーブル処理構造としたものであり、バネによりケーブルのかみ込みを防止するという作用を有する。
【発明の効果】
【００１２】
以上のように本発明は、フロントキャビネットとリアキャビネットとの間でケーブルのかみ込みを防止し、作業不良削減する他、組立工数削減という優れた効果が得られる。
【発明を実施するための最良の形態】
【００１３】
（実施の形態１）
以下、本発明の実施の形態について、図１、図２を用いて説明する。
【００１４】
図１は本発明のケーブル処理構造の組立途中の図を示したものである。
【００１５】
図２は本発明のケーブル処理構造におけるフロントキャビネットとリアキャビネットの組立工程を示した図である。
【００１６】
図１、図２において、１はフロントキャビネット、２はリアキャビネットであり、フロントキャビネット１と勘合する。３はフロントキャビネット１に装着している液晶表示パネル、４は液晶表示パネル３に画像を表示するための画像表示回路の回路基板Ａ、５はリアキャビネット２に装着している携帯型情報処理装置本体の回路基板Ｂを示している。６は回路基板Ａと回路基板Ｂを結合するケーブルである。７はケーブル６の引き込みを行うバネである。バネ７は弾性体で、好ましくは難燃性の樹脂により構成される。
【００１７】
以上のように構成されたケーブル処理構造について、図１，図２を用いてその動作を説明する。
【００１８】
まず、従来例に従いフロントキャビネット１とリアキャビネット２を接続するケーブルを接続する（図２Ａ）。次にバネ７の付勢に従ってフロントキャビネット１をリアキャビネット２に篏合する（図２Ｂ、図２Ｃ）。このようにすることで、フロントキャビネット１、リアキャビネット２を篏合時に、ケーブル６に樹脂製のバネ７を引っ掛けることにより、余分なケーブルを筐体内部に引き込むものである。
【００１９】
以上のように本実施の形態によれば、作業者はフロントキャビネット１とリアキャビネット２の間にケーブル６をかみ込まないようにケーブルを押し込むことも、かみ込みのチェックも不要となる。これにより組立工数を削減することができる。
【００２０】
またこれまでと異なり、かみ込みという問題に対して組立を行う作業者に頼ることを回避することができ、作業不良削減することが可能となる。
【００２１】
このバネ７には非導電性の樹脂性材料を用いることにより、筐体内部のバネ付近の通電部分とのショートを回避することができる。
【００２２】
なお、以上の説明では携帯型情報処理装置において、４を液晶表示パネルに画像を表示するための画像表示回路の回路基板Ａ、５を携帯型情報処理装置本体の回路基板Ｂとしたが、電気回路を有するＨＤＤやＣＤドライブなどの電気ユニットのほか回路基板としてもよいことは言うまでもない。
【００２３】
また、本実施の形態において、バネの径や材料などを変更することにより、バネ定数を変更することが可能となり、引き込み対象とするケーブルにあわせて、バネ定数を変更できることは言うまでもない。
【００２４】
また、バネは汎用の金属製バネを用い、バネを絶縁物で覆ったものを用いても良い。
【００２５】
さらに、回路基板どうしを結合するケーブル自体を伸縮性のあるコイル形状のものを用いることでも本願が提起した課題は解決可能である。
【産業上の利用可能性】
【００２６】
本発明にかかるケーブル処理構造は、フロントキャビネットとリアキャビネットとの間でケーブルのかみ込みを防止し、作業不良削減する他、組立工数削減という優れた効果を有し、フロントキャビネット、リアキャビネットからなるボックス構造をもつ装置の製造プロセスにおけるケーブルの処理方法に有用である。
【図面の簡単な説明】
【００２７】
【図１】本発明のケーブル処理構造の組立途中を示したの図
【図２】本発明のケーブル処理構造におけるフロントキャビネットとリアキャビネットの組立工程を示した図
【図３】携帯型情報処理装置の従来のケーブル処理組立を示した図
【図４】従来のフロントキャビネットとリアキャビネットの篏合を示した図
【符号の説明】
【００２８】
１  フロントキャビネット
２  リアキャビネット
３  液晶表示パネル
４  画像表示回路の回路基板Ａ
５  携帯型情報処理装置本体の回路基板Ｂ
６  ケーブル
７  バネ
【図１】
2007199228.tif 000003
【図２】
2007199228.tif 000004
【図３】
2007199228.tif 000005
【図４】
2007199228.tif 000006